(57)【特許請求の範囲】
【請求項１】
椅子に取り付けられる肘掛け装置であって、
前記椅子の正面視で当該椅子における座の左右両側に配置されると共に肘当てを固定的又は高さ調節可能に設けた肘支柱と、前記肘支柱の下端から前記椅子に向けて延びる左右横長のアーム部とを備えており、
前記アーム部の先端に、前記椅子に設けた肘取り付け穴に嵌まる左右横向きの挿入部と、前記挿入部の下方において前記椅子に外側から重なる張り出し部とが形成されている構成において、
前記張り出し部には、当該張り出し部を前記椅子に固定するための左右横長のねじが挿通されるねじ挿通穴が、前記挿入部よりも下方の位置において左右方向に開口するように形成されており、
更に、前記アーム部は、前記張り出し部のねじ挿通穴に挿通したねじのみによって前記椅子に固定されるものであり、
椅子の正面視において、前記挿入部の上下厚さをＴ、前後幅をＷ、前記肘取り付け穴に入り込む左右長さをＬとし、かつ、前記挿入部の下面から前記ねじ挿入穴の中心までの上下間隔をＨとしたとき、Ｌ＞ＴでかつＬ＞Ｈの関係に成して、前記挿入部に挿入したねじのみによる固定であっても前記肘当てに掛かった荷重を支持できる強度を確保せしめている、
椅子用肘掛け装置。
【請求項２】
前記挿入部は、前後巾Ｗが上下厚さＴよりも大きくなっていると共に、上面は平坦面になっている、
請求項１に記載した椅子用肘掛け装置。
【発明の詳細な説明】
【技術分野】
【０００１】
本願発明は、椅子用の肘掛け装置に関するものである。
【背景技術】
【０００２】
椅子において、肘掛け装置の取り付け構造は種々提案されている。その一例として特許文献１には、座板の下面に左右に開口したダクト状の支持部材を固着して、この支持部材に肘掛け装置の基端部を挿入することが開示されている。この特許文献１では、肘掛け装置の基端部にフックを設けており、基端部を支持部材に差し込み切るとフックが支持部材の係止手段に係合して、肘掛け装置が支持部材から抜け不能に保持される。
【先行技術文献】
【特許文献】
【０００３】
【特許文献１】実開平６−８２９５４号のＣＤ−ＲＯＭ
【発明の概要】
【発明が解決しようとする課題】
【０００４】
特許文献１では肘掛け装置の基端部が支持部材に深く入り込むため、高い支持強度を得ることができる利点がある。しかし、ダクト状の支持部材を別途用意してこれを座板に固着することになるため、支持部材は座板の下面から下向き突出しており、このため支持部材が露出して美感を損なう虞がある。
【０００５】
本願発明は、このような現状を改善すべく成されたものである。
【課題を解決するための手段】
【０００６】
本願発明は椅子に取り付けられる肘掛け装置であり、請求項１の肘掛け装置は、
前記椅子の正面視で当該椅子における座の左右両側に配置されると共に肘当てを固定的又は高さ調節可能に設けた肘支柱と、前記肘支柱の下端から前記椅子に向けて延びる左右横長のアーム部とを備えており、
前記アーム部の先端に、前記椅子に設けた肘取り付け穴に嵌まる左右横向きの挿入部と、前記挿入部の下方において前記椅子に外側から重なる張り出し部とが形成されている構成において、
前記張り出し部には、当該張り出し部を前記椅子に固定するための左右横長のねじが挿通されるねじ挿通穴が、前記挿入部よりも下方の位置において左右方向に開口するように形成されており、
更に、前記アーム部は、前記張り出し部のねじ挿通穴に挿通したねじのみによって前記椅子に固定されるものであり、
椅子の正面視において、前記挿入部の上下厚さをＴ、前後幅をＷ、前記肘取り付け穴に入り込む左右長さをＬとし、かつ、前記挿入部の下面から前記ねじ挿入穴の中心までの上下間隔をＨとしたとき、Ｔ＜ＬでかつＬ＞Ｈの関係に成して、前記挿入部に挿入したねじのみによる固定であっても前記肘当てに掛かった荷重を支持できる強度を確保せしめている。
【０００８】
請求項２の肘掛け装置は、請求項１において、前記挿入部は、前後巾Ｗが上下厚さＴよりも大きくなっていると共に、上面は平坦面になっている。
【発明の効果】
【０００９】
本願発明では、肘掛け装置の挿入部は椅子の肘取り付け穴に入り込むため、美感を損なうことはない（肘掛け装置を取付けない場合は、椅子の肘取り付け穴はキャップで塞いでおけばよく、この場合も美感を損なうことない。）。
【００１０】
さて、肘掛け装置には、肘当ての高さが一定になっている固定型と肘当ての高さを調節できる可動型とがあり、固定型の場合は全体が一体構造になっており、可動型の場合は肘支柱を一体に又は別体に有する本体部に肘当てが高さ調節自在に取り付けられている。そして、固定型の場合は全体を合成樹脂製にしていることが殆どであり、また、可動型であっても本体部を合成樹脂製とすることが多い。
【００１１】
そして、合成樹脂はアルミダイキャストのような金属製に比べて強度が劣るが、本願発明を使用すると、挿入部を長くすることで単位面積当たりの荷重を分散できるため、挿入部を含む本体部が合成樹脂製であっても高い支持強度を確保できる。従って、本願発明は、肘掛け装置の全体又は本体部を樹脂製としている場合に、特に真価が発揮されると言える。
【００１２】
更に、挿入部は肘取り付け穴にしっかりと嵌まっており、肘掛け装置に作用した荷重は主として挿入部に対するモーメントとして作用し、張り出し部をアーム部の内面に押し付けるように作用するため、張り出し部に挿通したねじのみによる締結であっても、椅子にしっかりと固定される。
【００１３】
【図面の簡単な説明】
【００１４】
【図１】実施形態に係る椅子の外観図で、（Ａ）は正面図、（Ｂ）は側面図である。
【図２】肘掛け装置を分離した状態での斜視図である。
【図３】ベースの分離斜視図である。
【図４】要部の斜視図、（Ａ）は上から見た図、（Ｂ）は下方から見た図である。
【図５】要部の分離斜視図である。
【図６】（Ａ）は肘掛け装置を取り付けた状態での斜視図、（Ｂ）はベースを後ろから見た斜視図である。
【図７】変形例を示す図である。
【発明を実施するための形態】
【００１５】
次に、本願発明の実施形態を図面に基づいて説明する。本実施形態は、事務用に多用されている回転椅子に取り付ける肘掛け装置に適用している。以下の説明では方向を特定するため前後・左右の文言を使用するが、これは、椅子に普通に着座者した人を基準にして、着座者が向いた方向を前として定義している。正面視方向は着座者と相対向した方向であり、背面視方向は着座者を後ろから見た方向である。
【００１６】
(1).椅子の概略
図１，２に示すように、椅子は、脚支柱（ガスシリンダ）１のみを表示した脚装置、脚支柱１の上端に固定したベース２、ベース２の上方に配置した座３、座４の後ろに配置された背もたれ４を有している。ベース２には肘掛け装置５が取り付けられている。図１，２では肘掛け装置５は片方しか表示していないが、肘掛け装置５は左右一対取り付けられる。
【００１７】
背もたれ５は、バックフレーム６に背板（インナーシェル）７を固定した基本構造になっており、背板７の前面にクッション体８を張っている。バックフレーム６はベース２に後傾動可能に連結されており、背もたれ４が後傾するとこれに連動して座３は上昇しながら後退する。すなわち、座３は中間部材介してベース２に取り付けられており、座３はベース２に対して相対動する。これらのロッキング機構は本願発明と関連がないので説明は省略する。
【００１８】
肘掛け装置５は、正面視略Ｌ形の肘本体９と、高さ調節自在な肘当て１０とを有している。肘本体９は、左右横長のアーム部１１と、その一端から上向きに延びた肘支柱１２を有しており、肘支柱１２に、昇降体１３が高さ調節可能に装着されている。昇降体１３に肘当て１０を取り付けている。肘支柱１２とアーム部１１とは、別部材からなっていても良い。
【００１９】
ベース２には、その左右外側に開口した肘取り付け穴１４が形成されている。他方、肘本体９のアーム部１１の先端には、ベース２の肘取り付け穴１４に嵌まり込む左右横向きの挿入部１５と、挿入部１５の下方においてベース２の外側面に重なる張り出し部１６とが一体に形成されており、張り出し部１６が左右横長のねじ１７でベース２に固定されている。以下、その詳細を説明する。
【００２０】
(2).要部の詳細
図３以下の各図に示すように、ベース２は、上向きに開口した箱形のベース本体１９と、ベース本体１９の内部のうち後ろ寄り部位に配置した１つの第１金具２０と、第１金具２０の前半部とベース本体１９との間に配置した左右一対の第２金具２１とを有している。これらは鋼板製である。第１金具２０は前後足片２２を有して側面視下向き開口コの字形に形成されており、足片２２に設けた規制片２３をベース本体１９の底板に空けた係合穴２４に嵌め込むことで位置決めされている。
【００２１】
第１金具２０はベース本体１９に溶接で固着されている。また、ベース本体１９の底板と第１金具２０とには同心の脚穴２５が空いており、脚穴２５にブッシュ２６を嵌め込んで、ブッシュ２６をベース本体１９と第１金具２０とに溶接している。ブッシュ２６には脚支柱１が下方から嵌着している。肘本体９の挿入部１５は、第１金具２０の前部で上向き移動不能に保持されている。
【００２２】
第２金具２１は、ベース２の内側面に重なる側板２１ａと、その上端から内向きに延びる水平部とを有している。側板２１ａには内向きのバーリング部２７を形成して、これに雌ねじを形成している（ナットを溶接しても良い。）。第２金具２１の側板２１ａは、ベース本体１９に形成した角形の窓穴２８から外側に露出しており、窓穴２８を介してねじ１７をバーリング部２７にねじ込むことができる。第２金具２１の側板２１ａは、ベース本体１９の内面に溶接されている。
【００２３】
肘本体９の挿入部１５は、第２金具２２で下方から支持されている。換言すると、第１金具２０と第２金具２１とにより、肘本体９の挿入部１５を上下から挟む抱持部が形成されており、この抱持部で肘取り付け穴１４の大部分が構成されている。左右の肘取り付け穴１４は、ベース２の空所を介して一連に連通している。また、ベース本体１９の窓穴２８のうち、第２金具２１の上面よりも上方の部分が肘取り付け穴１４を構成している。窓穴２８の内側縁には、内向きに突出したサイド規制片２９が折り曲げ形成されている。肘本体９の挿入部１５は、サイド規制片２９によっても前後ずれ不能に保持することが可能である。
【００２４】
第２金具２１のうち側板２１ａと反対側には下向き下片３１が形成されており、この下片３１は、ベース本体１９のランド部３２に形成した係合穴３３に嵌まっている。これにより、第１金具２０は高さが正確に規定されている。
【００２５】
第２金具２１には前後一対の上向き片２１ｂが形成されており、上向き片２１ｂにより、第１金具２１を下方から支持している。この上向き片２１ｂにより、第１金具２０と第２金具２１との間隔が規定されていると共に、肘本体９の挿入部１５は前後ずれ不能に保持されている。また、上向き片２１ｂには上向き規制舌片３４を突設している一方、第１金具２０には上向き規制舌片３４が嵌まる係合穴３５を形成しており、このため第１金具２０と第２金具２１との相対位置が正確に規定されている。第１金具２０と第２金具２１とは、溶接によって一体化している。
【００２６】
例えば図４（Ｂ）に示すように、肘掛け装置５における肘本体９の張り出し部１６は挿入部１５の基端から下方に大きく突出しており、この張り出し部１６に下方及び外側に開口した凹所３６を形成し、凹所３６にねじ１７の頭が隠れるように配慮している。張り出し部１６には、ねじ１７が挿通されるねじ挿通穴１６ａを、左右方向に開口するように空けている。また、挿入部１５にはその先端面に開口したピン穴３７が空いている。図３に示すように、ベース本体１９は、カバー４０によって下方から覆われている。
【００２７】
左右肘掛け装置５の挿入部１５は互いに接触するように深く嵌め込むことができ、かつ、そのように深く嵌め込むのが好ましい。この場合、挿入部１５がブッシュ１６と緩衝しない位置に配置されていることは言うまでない。また、挿入部１５は、例えば図５に示すように、椅子の正面視において、前記挿入部１５の上下厚さ寸法をＴ、前後幅寸法をＷ、左右長さ寸法をＬ、前記挿入部１５の下面から前記ねじ挿入穴の中心までの上下間隔寸法をＨとしたとき、Ｔ＜ＷでかつＬ＞Ｈの関係にされており、前記挿入部１５に挿入したねじ１７のみによる固定であっても、肘当て１０に掛かった荷重を支持できる強度が確保されている。
また、上下厚さＴは左右長さＬよりも小さくなっており、かつ、上面は平坦面になっている。
【００２８】
(3).まとめ
以上のとおり、肘掛け装置５は、肘本体９の挿入部１５をベース２の肘取り付け穴１４に挿入してから、張り出し部１６のねじ穴１６ａに側方から挿通されたねじ１７を第２金具２１のバーリング部２７にねじ込むという簡単な作業により、ベース２にしっかりと固定される。この状態で、挿入部１５は、第１金具２０と第２金具２１とで上下から挟まれた状態になっていることと、張り出し部１６がベース２の外側面に重なっていることとにより、高い支持強度が確保される。
【００２９】
図６に一点鎖線で示すように、左右の肘掛け装置５の挿入部１５は、そのピン穴３７にピン３８を挿入することにより、一体に連結することができる。すると、左右の挿入部１５が互いに補強し合って一体化した状態になるため、支持強度を一層向上させることができる。特に、左右の挿入部１５を、互いに密着するか又は近接するように深く嵌め込んだ状態でピン３７によって連結すると、両挿入部１５の一体感が高まって特に好適である。
【００３０】
また、挿入部１５は第１金具２０と第２金具２１とで構成された肘取り付け穴１４にしっかりと嵌まっており、肘掛け装置５に作用した荷重は主として挿入部１５に対するモーメントとして作用し、張り出し部１６をベース２の側面に押し付けるように作用するため、１本のみのねじ１７による締結であっても、肘掛け装置５をしっかりと固定することができる。
【００３１】
なお、肘掛け装置５を取り付けない場合は、肘取り付け穴１４はキャップ（図示せず）で塞がれている。肘本体９の挿入部１５は側面視で山形になっているが、単なる四角形に形成したりカマボコ形に形成したりすることも可能である。
【００３２】
(4).変形例（図７）
図７では変形例を示している。このうち（Ａ）は第２金具２１の変形例であり、左右の第２金具２１は互いに密着又は密接するように設定されており、かつ、先端部には下向き片２１ｄを形成している。また、側板２１ａの前後両端でかつ下端部にはベース２の下面に当接する補強片２１ａを一体に設けている。このため、側板２１ａを曲がり不能に保持でき、その結果、肘掛け装置５の支持強度が格段に高くなる。
【００３３】
図７（Ｂ）で示すのは、肘掛け装置５を取り付けないときに肘取り付け穴１４を塞ぐ蓋装置の例である。すなわち、この例では、ベース２の窓穴２７の箇所に、窓穴２７と連通した穴を有する蓋本体４２を嵌め込み、蓋本体４２に蓋板４３を着脱自在に装着している。蓋本体４２は、ベース２に係止するための係止爪４２ａ，４２ｂ，４２ｄを有している。蓋本体４２はベース２に常に装着されている。この蓋本体４２が取り付くベース２は図
１〜図６の実施形態とは相違しており、下面には左右のフレームが固定されており、蓋本体４２はフレームと干渉しないように上向きに大きくえぐられている。
【００３４】
(4).その他
本願発明は、上記の各実施形態の他にも様々に具体化できる。例えば、ベースをダイキャスト品とすることも可能である。
【産業上の利用可能性】
【００３５】
本願発明は椅子の肘掛け装置に適用して有用性を発揮する。よって、産業上利用できる。
【符号の説明】
【００３６】
１  脚支柱
２  ベース
３  座
５  肘掛け装置
９  肘本体
１４  肘取り付け穴
１５  肘本体の挿入部
１６  肘本体の張り出し部
１６ａ  ねじ挿通穴
１７  ねじ
１９  ベース本体
２０  第１金具
２１  第２金具
２６  ブッシュ
３７  ピン穴
３８  連結ピン
【図１】
0005885771.tif 000002
【図２】
0005885771.tif 000003
【図３】
0005885771.tif 000004
【図４】
0005885771.tif 000005
【図５】
0005885771.tif 000006
【図６】
0005885771.tif 000007
【図７】
0005885771.tif 000008